(57)【特許請求の範囲】
【請求項１】
基端側に供給された空気を先端側から吹き出し可能な吹出口装置であって、
吹出口装置は、筒状の筒部と、当該筒部の中心軸に沿って延びる軸部と、当該軸部の先端側でかつ前記筒部の内部に設けられたコーンと、前記軸部を進退させる進退装置と、前記軸部の基端側に設けられた閉塞板と、を備え、
前記筒部の中央部の内径は、当該筒部の基端側開口および先端側開口よりも大きく、
前記閉塞板は、前記筒部の基端側開口に嵌合して閉塞可能であることを特徴とする吹出口装置。
【請求項２】
前記コーンは、プロペラ型であることを特徴とする請求項１に記載の吹出口装置。
【発明の詳細な説明】
【技術分野】
【０００１】
本発明は、吹出口装置に関する。詳しくは、居室の天井面に設けられる吹出口装置に関する。
【背景技術】
【０００２】
従来より、居室の天井面には、吹出口装置が設けられる場合がある。この吹出口装置には、ダクトが接続されており、ダクトを通して空気を供給すると、この空気は、吹出口装置の先端側から吹き出される。
このような吹出口装置としては、軸流とふく流とを切り替え可能なものが知られている。
例えば、筒状のノズル部と、このノズル部の内部に設けられた風量調整体と、を備える吹出口装置が知られている（特許文献１参照）。風量調整体は、ノズル部の内側に向かって細くなる円錐形状となっている。このノズル部の向きは、自動的に調整できるようになっている
【０００３】
この吹出口装置によれば、風量調整体をノズル部の基端側に位置させた状態で、空気をノズル部の基端側に供給する。すると、この空気は、風量調整体とノズル部との隙間を通って、ノズル部の内部に流入し、先端側から吹き出す。これにより、吹出口装置からの吹出し気流は、軸流となる。
一方、ノズル部を回転させて、風量調整体をノズル部の先端側に位置させた状態で、空気をノズル部の基端側に供給する。すると、この空気は、ノズル部の内部を流れた後、風量調整体の円錐部分の表面に沿って拡がって、先端側から吹き出す。これにより、吹出口装置からの吹出し気流は、ふく流となる。
【０００４】
また、多数のふく流用吹出口が外周面に設けられた筒状の外筒と、この外筒の先端側に設けられたパンカルーバと、を備える吹出口装置が知られている（特許文献２参照）。このパンカルーバの向きは、自動的に回転運動するようになっている。
この吹出口装置によれば、外筒の基端側に空気を供給すると、この空気の一部は、多数のふく流用吹出口からふく流として吹き出すとともに、残りの空気は、パンカルーバから軸流として吹き出す。よって、吹出し気流を軸流やふく流とすることができる。
【先行技術文献】
【特許文献】
【０００５】
【特許文献１】特開２０１０−１１７０６８号公報
【特許文献２】特開平８−１２８７１５号公報
【発明の概要】
【発明が解決しようとする課題】
【０００６】
しかしながら、上述の提案では、吹出し気流が軸流またはふく流の２種類であり、吹出し気流の特性を微調整することができなかった。また、上述の提案では、吹出し気流の特性は手動で調整する必要があるため、居室の天井高が高い場合には、吹出し気流の調整が困難となっていた。
そのため、居住者にとって快適な空気調和状態を容易に実現できなかった。
【０００７】
本発明は、居住者にとって快適な空気調和状態を容易に実現できる吹出口装置を提供することを目的とする。
【課題を解決するための手段】
【０００８】
請求項１に記載の吹出口装置は、基端側に供給された空気を先端側から吹き出し可能な吹出口装置であって、吹出口装置は、筒状の筒部と、当該筒部の中心軸に沿って延びる軸部と、当該軸部の先端側でかつ前記筒部の内部に設けられたコーンと、前記軸部を進退させる進退装置と、前記軸部の基端側に設けられた閉塞板と、を備え、前記筒部の中央部の内径は、当該筒部の基端側開口および先端側開口よりも大きく、前記閉塞板は、前記筒部の基端側開口に嵌合して閉塞可能であることを特徴とする。
【０００９】
この発明によれば、例えば、進退装置を駆動することにより、閉塞板を筒部の基端側開口に嵌合させる。この状態では、筒部の基端側に供給された空気は、筒部の先端側開口から吹き出さない。
【００１０】
また、進退装置を駆動することにより、コーンを筒部の内部に位置させる。すると、筒部の基端側に供給された空気は、コーンと筒部の内面との隙間を通って、筒部の先端側に向かって流れる。筒部は筒状であるため、この空気は、筒部の軸方向に沿って吹き出される。
【００１１】
また、進退装置を駆動することにより、閉塞板を筒部の中央部近傍に位置させるとともに、コーンを筒部の先端側開口に位置させる。
すると、筒部の基端側に供給された空気は、閉塞板と筒部の内面との隙間を通って、筒部の先端側に流れる。筒部の先端側開口にはコーンが位置しているので、筒部の先端側に流れた空気は、コーンに当たって、拡散して吹き出される。
【００１２】
以上より、進退装置により軸部を進退させるだけで、吹出し気流の特性を軸流からふく流までの広い範囲で自在に微調整できる。また、例えば居住者の遠隔操作により進退装置を駆動することにより、居住者の好みに応じて吹出し気流の特性を調整できる。したがって、居住者にとって快適な空気調和状態を容易に実現できる。
【００１３】
請求項２に記載の吹出口装置は、前記コーンは、プロペラ型であることを特徴とする。
【００１４】
この発明によれば、コーンをプロペラ型としたので、筒部内の空気がコーンの羽根に当たって適度に拡散するため、居住者を包み込むような吹出し気流を容易に実現できる。
【発明の効果】
【００１５】
本発明によれば、進退装置により軸部を進退させるだけで、吹出し気流の特性を軸流からふく流までの広い範囲で自在に微調整できる。また、例えば居住者の遠隔操作により進退装置を駆動することにより、居住者の好みに応じて吹出し気流の特性を調整できる。したがって、居住者にとって快適な空気調和状態を容易に実現できる。
【図面の簡単な説明】
【００１６】
【図１】本発明の一実施形態に係る吹出口装置の平面図および断面図である。
【図２】前記実施形態に係る吹出口装置の制御装置の構成を示す図である。
【図３】前記実施形態に係る制御装置のフローチャートである。
【図４】前記実施形態に係る吹出口装置の動作を説明するための断面図（その１）である。
【図５】前記実施形態に係る吹出口装置の動作を説明するための断面図（その２）である。
【発明を実施するための形態】
【００１７】
図１は、本発明の一実施形態に係る吹出口装置１０の平面図および断面図である。
吹出口装置１０は、居室の天井面２に設けられており、居住者の頭上に位置している。具体的には、居室の天井裏空間には、箱状のチャンバ３が設けられており、吹出口装置１０は、このチャンバ３の下面に取り付けられている。また、このチャンバ３の上面には、ダクト５が接続される。
【００１８】
ダクト５を通してチャンバ３に空気を供給すると、この空気は、吹出口装置１０の基端側から内部を通り、吹出口装置１０の先端側から吹き出される。このとき、吹出し気流の特性は、制御装置８０（図２参照）により制御される。
【００１９】
吹出口装置１０は、筒状の吹出部２０と、吹出部２０の中心軸に沿って延びる軸部３０と、この軸部３０の先端側に設けられたプロペラ型のコーン４０と、軸部３０を進退させる進退装置５０と、軸部３０のコーン４０よりも基端側に設けられた閉塞板６０と、吹出部２０に設けられて軸部３０の位置を検出する位置センサ７０と、を備える。
【００２０】
吹出部２０は、筒状の筒部２１と、チャンバ３に固定されてこの筒部２１を支持する支持部２２と、筒部２１の先端側に取り付けられるカバー２３と、を備える。
【００２１】
筒部２１の中央部２１２は、外側に向かって膨出しており、筒部２１の内面は、略球面形状となっている。また、筒部２１の基端側開口２１３および先端側開口２１１は、円形状である。これにより、筒部２１の中央部２１２の内径は、筒部２１の基端側開口２１３および先端側開口２１１よりも大きくなっている。
【００２２】
軸部３０には、ねじ山が刻設されている。
また、軸部３０の基端側には、４つのスリット３１１が形成された遮蔽板３１が取り付けられており、この遮蔽板３１は、軸部３０とともに上下に移動する。ここで、スリット３１１を、上から順に、スリット３１１Ａ、３１１Ｂ、３１１Ｃ、３１１Ｄとする。
【００２３】
進退装置５０は、軸部３０が螺合された環状の平歯車５１と、この平歯車５１に噛合するウォームギア５２と、制御装置８０に接続されてウォームギア５２を回転駆動するモータ５３と、を備える。
モータ５３を駆動することにより、ウォームギア５２が回転し、これにより、平歯車５１が回転して、軸部３０が上下動する。
【００２４】
コーン４０は、筒部２１の先端側開口２１１よりも小さい円形状であり、４枚の羽根を有している。
閉塞板６０は、筒部２１の基端側開口２１３に嵌合可能な円形状である。
【００２５】
位置センサ７０は、軸部３０の４段階の高さ位置を検出し、制御装置８０に出力する。この位置センサ７０は、赤外線を照射する発光部と、この発光部に対向配置された受光部と、を備え、これら発光部および受光部が遮蔽板３１を挟むように配置される。
よって、位置センサ７０は、遮蔽板３１のスリット３１１Ａ〜３１１Ｄが発光部と受光部との間に位置すると、受光部が赤外線を検出し、これにより、軸部３０の高さ位置を検出する。
【００２６】
図２は、制御装置８０の構成を示す図である。
制御装置８０は、リモコン受信部８１と、モータ駆動部８２と、を備える。
リモコン８３は、居住者により操作されて、移動指令信号を出力する。この移動指令信号は、軸部３０を上昇させる上昇指令信号、あるいは、軸部３０を下降させる下降指令信号である。
リモコン受信部８１は、リモコン８３から出力された移動指令信号を受信する。
【００２７】
モータ駆動部８２は、位置センサ７０で検出した高さ位置およびリモコン受信部８１で受信した移動指令信号に基づいて、モータ５３を駆動して、軸部３０を移動させる。
【００２８】
図３は、制御装置８０のフローチャートである。
制御装置８０の動作は、以下のようになる。
まず、ステップＳ１では、リモコン受信部８１により、リモコン８３からの移動指令信号を検出する。
ステップＳ２では、モータ駆動部８２により、検出した移動指令信号が上昇指令信号であるか否かを判定する。この判定がＹＥＳである場合には、ステップＳ３に移り、ＮＯである場合には、移動指令信号が下降指令信号であるため、ステップＳ６に移る。
【００２９】
ステップＳ３では、モータ駆動部８２により、軸部３０が上限位置であるか否かを判定する。具体的には、スリット３１１Ｅが位置センサ７０に位置しているか否かを判定する。この判定がＹＥＳである場合には、ステップＳ１に戻り、ＮＯである場合には、ステップＳ４に移る。
ステップＳ４では、モータ駆動部８２により、軸部３０を上昇させる。
ステップＳ５では、モータ駆動部８２により、軸部３０が一段移動したか否かを判定する。この判定がＹＥＳである場合には、ステップＳ１に戻り、ＮＯである場合には、ステップＳ４に戻る。
【００３０】
ステップＳ６では、モータ駆動部８２により、軸部３０が下限位置であるか否かを判定する。具体的には、スリット３１１Ａが位置センサ７０に位置しているか否かを判定する。この判定がＹＥＳである場合には、ステップＳ１に戻り、ＮＯである場合には、ステップＳ７に移る。
ステップＳ７では、モータ駆動部８２により、軸部３０を下降させる。
ステップＳ８では、モータ駆動部８２により、軸部３０が一段移動したか否かを判定する。この判定がＹＥＳである場合には、ステップＳ１に戻り、ＮＯである場合には、ステップＳ７に戻る。
【００３１】
以上の吹出口装置１０は、以下のように動作する。
例えば、図１に示すように、遮蔽板３１のスリット３１１Ｃが位置センサ７０に位置した状態では、閉塞板６０が筒部２１の基端側開口２１３に嵌合している。したがって、筒部２１の基端側に供給された空気は、筒部２１から吹き出ることはなく、吹出し停止状態となる。
【００３２】
また、図１に示す状態から、リモコン８３を操作して軸部３０を上昇させて、図４に示すように、遮蔽板３１のスリット３１１Ｄを位置センサ７０に位置させる。このとき、閉塞板６０は筒部２１の基端側開口２１３の上方に位置し、コーン４０は筒部２１の中央部２１２に位置している。
すると、筒部２１の基端側に供給された空気は、コーン４０と筒部２１の内面との隙間を通って、筒部２１の先端側に向かって流れる。筒部２１は筒状であるため、この空気は、筒部２１の軸方向に沿って吹き出される。したがって、吹出し気流は軸流となる。
【００３３】
また、図１に示す状態から、リモコン８３を操作して軸部３０を下降させて、図５に示すように、遮蔽板３１のスリット３１１Ａを位置センサ７０に位置させる。このとき、閉塞板６０は筒部２１の中央部２１２近傍に位置し、コーン４０は筒部２１の先端側開口２１１に位置している。
すると、閉塞板６０が筒部２１の中央部２１２近傍に位置しているため、閉塞板６０と筒部２１の内面との間に隙間が形成される。よって、筒部の基端側に供給された空気は、この隙間を通って、筒部の先端側に流れる。
筒部２１の先端側開口２１１にはコーン４０が位置しているので、筒部２１の先端側に流れた空気は、コーン４０に当たって、拡散して吹き出される。したがって、吹出し気流はふく流となる。
コーン４０がプロペラ型であるため、吹き出された気流は、吹出口装置１０の直下の居住者を包み込むように流れる。
【００３４】
また、遮蔽板３１のスリット３１１Ｂを位置センサ７０に位置させた場合には、図１と図５との中間にコーン４０が位置し、吹出し気流は、軸流とふく流とが混合した中間流となる。
【００３５】
本実施形態によれば、以下のような効果がある。
（１）居住者がリモコン８３を操作するだけで、進退装置５０により軸部３０を進退させて、吹出し気流の特性を４段階で選択できる。よって、居住者の好みに応じて吹出し気流の特性を調整できるので、居住者にとって快適な空気調和状態を容易に実現できる。
【００３６】
（２）コーン４０をプロペラ型としたので、筒部２１内の空気がコーン４０の羽根に当たって適度に拡散するため、居住者を包み込むような吹出し気流を容易に実現できる。
【００３７】
なお、本発明は前記実施形態に限定されるものではなく、本発明の目的を達成できる範囲での変形、改良等は本発明に含まれるものである。
例えば、コーンの位置をさらに多段階で選択できるようにしたり、コーンを任意の位置に設定できるようにしたりすることで、吹出し気流の特性をより微調整することも可能である。
また、プロペラ型のコーン４０の羽根の角度を変更できるようにしてもよい。このようにすれば、吹出し気流の特性をさらに変化させることができる。
【符号の説明】
【００３８】
２…天井面
３…チャンバ
５…ダクト
１０…吹出口装置
２０…吹出部
２１…筒部
２２…支持部
２３…カバー
３０…軸部
３１…遮蔽板
４０…コーン
５０…進退装置
５１…平歯車
５２…ウォームギア
５３…モータ
６０…閉塞板
７０…位置センサ
８０…制御装置
８１…リモコン受信部
８２…モータ駆動部
８３…リモコン
２１１…先端側開口
２１２…中央部
２１３…基端側開口
３１１Ａ〜３１１Ｅ…スリット
【図１】
0005489898.tif 000002
【図２】
0005489898.tif 000003
【図３】
0005489898.tif 000004
【図４】
0005489898.tif 000005
【図５】
0005489898.tif 000006